(57)【要約】【課題】鍼を持つことなく鍼治療を行うことができる、刺さない鍼を提供する。【解決手段】鍼１は、刺さずに被治療生物９５に接触させて鍼治療を行うためのものであって、先端部３を被治療生物９５に接触させるための棒状の鍼本体２と、鍼本体２の途中に設けられた、治療者の中指９１を入れるための指入部７とを備えるものである。鍼本体２は、曲げることのできる材質で形成されていることが好ましい。鍼本体２には、棒状の長さ方向に沿って溝５が形成されていることが好ましい。【選択図】図３
2019213710.tif 000002
【特許請求の範囲】
【請求項１】
刺さずに被治療生物に接触させて鍼治療を行うための鍼であって、
先端部を前記被治療生物に接触させるための棒状の鍼本体と、
前記鍼本体の途中に設けられた、指を入れるための１つ又は複数の指入部とを、
備えることを特徴とする鍼。
【請求項２】
前記鍼本体は、曲げることのできる材質で形成されていることを特徴とする請求項１に記載の鍼。
【請求項３】
前記鍼本体は、棒状の形状が後端部側に向かうにしたがって幅広になる形状で形成されていることを特徴とする請求項１又は２に記載の鍼。
【請求項４】
前記鍼本体には、棒状の長さ方向に沿って溝が形成されていることを特徴とする請求項１から３のいずれかに記載の鍼。
【請求項５】
前記指入部は、前記鍼本体に設ける位置を変更可能であることを特徴とする請求項１から４のいずれかに記載の鍼。
【請求項６】
前記指入部は、前記鍼本体に着脱可能であることを特徴とする請求項１から５のいずれかに記載の鍼。
【発明の詳細な説明】
【技術分野】
【０００１】
本発明は、刺さずに被治療生物に接触させて鍼治療を行うための鍼に関するものである。
【背景技術】
【０００２】
被治療生物（人や動物）に対する鍼治療が古くから行われている。鍼治療には、治療生物に鍼を刺す治療方法と、鍼を刺さない治療方法がある。刺さない鍼は、てい鍼と呼ばれる場合もある。
【０００３】
例えば特許文献１には、てい鍼と鍼管が一体化した治療器具が記載されている。同文献の図に示されるように、刺さない鍼（てい鍼）は棒状に形成されている。
【先行技術文献】
【特許文献】
【０００４】
【特許文献１】実用新案登録第３１９５５１８号公報
【発明の概要】
【発明が解決しようとする課題】
【０００５】
てい鍼のような刺さない鍼は、棒状の鍼の先端部を被治療生物に接触させて使用される。治療者は、鍼を手に持って治療を行う。鍼を持つ方法は、棒状の鍼を鉛筆等の筆記具を持つように親指と人差指の間に挟んで持つ方法や、掌側の鍼を親指と他の指で支えるように持つ方法などがある。
【０００６】
治療者は鍼の先端を被治療生物の肌のツボ（経穴）や経路等に接触させて、鍼の先端部に意識を集中させて治療を行う。しかしながら、鍼を持ちながら治療を行うため、持つことに意識が分散されてしまう場合がある。また、鍼を持つことで手が疲労してしまう場合がある。
【０００７】
本発明は、前記の課題を解決するためになされたもので、鍼を持つことなく鍼治療を行うことができる、刺さない鍼を提供することを目的とする。
【課題を解決するための手段】
【０００８】
前記の目的を達成するためになされた、特許請求の範囲の請求項１に記載された鍼は、刺さずに被治療生物に接触させて鍼治療を行うための鍼であって、先端部を前記被治療生物に接触させるための棒状の鍼本体と、前記鍼本体の途中に設けられた、指を入れるための１つ又は複数の指入部とを、備えることを特徴とする。
【０００９】
請求項２に記載された鍼は、請求項１に記載のものであり、前記鍼本体は、曲げることのできる材質で形成されていることを特徴とする。
【００１０】
請求項３に記載された鍼は、請求項１又は２に記載のものであり、前記鍼本体は、棒状の形状が後端部側に向かうにしたがって幅広になる形状で形成されていることを特徴とする
【００１１】
請求項４に記載された鍼は、請求項１から３のいずれかに記載のものであり、前記鍼本体には、棒状の長さ方向に沿って溝が形成されていることを特徴とする。
【００１２】
請求項５に記載された鍼は、請求項１から４のいずれかに記載のものであり、前記指入部は、前記鍼本体に設ける位置を変更可能であることを特徴とする。
【００１３】
請求項６に記載された鍼は、請求項１から５のいずれかに記載のものであり、前記指入部は、前記鍼本体に着脱可能であることを特徴とする。
【発明の効果】
【００１４】
本発明の鍼によれば、指入部に指を入れることで鍼本体を保持できるため、鍼を持たずに鍼治療することができる。そのため、鍼を持つことに意識が分散されず、治療に集中することができる。また、鍼を持たなくてもよいので、手の疲労を軽減することができる。複数の指入部を有する場合、鍼本体が指にしっかりと保持されるため、鍼本体の先端部が指からずれてしまうことを防止でき、鍼本体を指に確実に沿わせることができる。
【００１５】
鍼本体が曲げることのできる材質で形成されている場合、治療者の指や掌の自然な形状に合わせるように変形できるため、治療者は自然な手の状態で治療でき、一層集中して治療することができる。また、手の疲労をより軽減することができる。
【００１６】
鍼本体の棒状の形状が後端部側に向かうにしたがって幅広になる形状で形成されている場合、治療者から出る治療用エネルギーを鍼本体により多く導くことができる。鍼本体を全体的に幅広に形成する場合よりも、材料を少なくすることができる。また、曲げる場合に曲げやすくなる。
【００１７】
鍼本体に棒状の長さ方向に沿って溝が形成されている場合、治療者の治療用エネルギーを、溝に沿って鍼本体の先端部まで導くことができる。
【００１８】
指入部が鍼本体に設ける位置を変更可能である場合、治療者の掌や指の大きさに対応させて鍼本体の装着位置や指入部の位置を最適な位置に調整でき、治療者は集中して治療を行うことができる。指入部が鍼本体に着脱可能である場合、指入部が不要な場合に取り外すことができる。
【図面の簡単な説明】
【００１９】
【図１】本発明を適用する鍼の斜視図である。
【図２】本発明を適用する鍼の平面図（指入部が設けられている側から見た図）である。
【図３】本発明を適用する鍼の使用状態を示す説明図である。
【図４】本発明を適用する別の鍼の側面図である。
【図５】本発明を適用する別の鍼の構成を示す断面図である。
【図６】図５に示した鍼本体の側面図である。
【図７】本発明を適用するさらに別の鍼を示す断面図である。
【図８】図７に示した鍼本体の側面図である。
【図９】本発明を適用する別の鍼の斜視図である。
【発明を実施するための形態】
【００２０】
以下、本発明を実施するための形態を詳細に説明するが、本発明の範囲はこれらの形態に限定されるものではない。
【００２１】
図１に、本発明を適用する鍼１の斜視図を示す。図２に、本発明を適用する鍼１の平面図を示す。この鍼１は、刺さずに被治療生物（人、動物）に接触させて鍼治療を行うための鍼であって、先端部３を被治療生物に接触させるための棒状の鍼本体２と、鍼本体２の途中に設けられた、指を入れるための１つ又は複数の指入部７とを備えるものである。両図には、指入部７を１つ備える鍼１を図示している。複数の指入部７を備える鍼１ｃ（図９参照）については後述する。
【００２２】
鍼本体２は、直線の棒状（真っすぐな形状）に形成されている。鍼本体２は、湾曲した棒状（曲がった形状）に形成されていてもよい。鍼本体２は、治療者の掌や指の形状に合わせて変形できるように、曲げることのできる材質で形成されていることが好ましい。
【００２３】
鍼本体２の長さは、任意であるが、例えば、５０ｍｍ〜２００ｍｍである。鍼本体２の長さは、一例として、治療者の掌の中央に有る労宮（ろうきゅう）のツボから中指の腹の中央までの長さであることが好ましい。この場合、鍼本体２の長さは、約１００ｍｍ〜１５０ｍｍであることが好ましい。
【００２４】
鍼本体２は、棒状の形状が後端部４側に向かうにしたがって幅広になる形状で形成されている。図２に示すように、棒状部分の後端部４の幅（太さ）Ｗ１と、棒状部分の先端部（球状の先端部３の根本）の幅（太さ）Ｗ２は、Ｗ１＞Ｗ２の関係であることが好ましい。後端部４を幅広に形成すると、労宮のツボ周辺全体に後端部４を接触させることができ、治療者の手掌・労宮周辺から出ると考えられている治療用エネルギーを鍼本体２にできるだけ多く導くことができる。なお、必要性に応じて、鍼本体２を、Ｗ１＝Ｗ２となるように等幅（同じ太さ）で形成してもよいし、場合によっては、Ｗ１＜Ｗ２となるように形成してもよい。鍼本体２を等幅（同じ太さ）で形成して、後端部４に、鍼本体２よりも幅広に形成した、治療者のツボに接触させるための幅広部材を設けてもよい。
【００２５】
鍼本体２の横断面形状は、円形、楕円形、四角形、多角形など任意の形状である。治療者の掌及び指が位置する側になる指入部７が設けられている鍼本体２の側は、ほぼ平面になるように形成されていることが好ましい。鍼本体２には、棒状の長さ方向に沿って溝５が形成されていることが好ましい。この溝５は、鍼本体２の先端部３（この場合は先端部３の球状部分の根本）から後端部４まで形成されていることが好ましい。また、溝５は、治療者の掌及び指が位置する側になる指入部７が設けられている側に形成されていることが好ましい。
【００２６】
図１、図２に示すように、鍼本体２の形状が後端部４側に向かうにしたがって幅広になる形状で形成されている場合、溝５は、後端部４側に向かうにしたがって幅広になる形状で形成されていることが好ましい。溝５の幅を、鍼本体２の太さ（幅）に応じて後端部４側を広く形成すると、治療者の手掌・労宮周辺から出ると考えられている治療用エネルギーをできるだけ多く鍼本体２に取り入れることができる。また、溝５の幅を、鍼本体２の太さ（幅）に応じて後端部４側を広くすると、鍼本体２の重量をより軽量化することができる。鍼本体２を軽くすると、治療者の負荷を軽減でき、治療に集中することができる。
【００２７】
鍼本体２の材質は、例えば、電気抵抗率の小さな銀、銅、金、アルミニウム、鉄、白金のような導電性を有する金属であることが好ましい。ツボや経路は人体を流れる電気信号（人体電気）と関連する場所と考えられており、鍼本体２が導電性を有することで、効果的な治療が可能と考えられている。銀は、電気抵抗率が小さく、棒状の形状を曲げて変形させることができるため、鍼本体２の材質として好ましく用いることができる。
【００２８】
美肌や美容などのために、鍼本体２をゲルマニウム、プラチナ、チタン、ジルコニウム、セラミック等の材質で形成してもよい。鍼本体２の材質は任意であり、必要性に応じて、プラスチックなどの合成樹脂、水晶などの天然石、木材、半導体等を用いてもよい。
【００２９】
鍼本体２の先端部３は、一例として、球形状に形成されている。先端部３が球形状の場合、鍼本体２の被治療生物に対する角度を変えても、ほぼ点で被治療生物に接触させることができる。そのため、治療者が発すると考えられている治療用エネルギー（気、波動等）を、被治療生物にほぼ点で集中させることができる。また、先端部３が球形状の場合、先端部３を被治療生物に強く押し当てたとしても、被治療生物を傷つけることが無い。そのため、球状の先端部３を押し当てて指圧的な治療を行うこともできる。なお、先端部３の形状は任意であり、被治療生物を傷つけない程度に棒状に尖っていてもよいし、多面体形状や楕円体形状などであってもよい。先端部３が、球形状に１つ又は複数の突起が付加された形状であってもよい。
【００３０】
球形状の先端部３の材質は、鍼本体２の材質と同様であってもよいし、異なっていてもよい。先端部３の材質は、例えば、電気抵抗率の小さな銀、銅、金、アルミニウム、鉄、白金のような導電性を有する金属であることが好ましい。先端部３の材質は、ゲルマニウム、プラチナ、チタン、ジルコニウム、セラミック等であってもよい。先端部３の材質は任意であり、必要性に応じて、プラスチックなどの合成樹脂、水晶などの天然石、木材、半導体等を用いてもよい。先端部３を鍼本体２と一体的に形成してもよい。先端部３と鍼本体２とを各々別体で形成して、例えば、融着、溶着、圧接、溶接、接着等の任意の固定方法で結合してもよい。
【００３１】
例えば、鍼本体２を銀、先端部３を金で球形状に形成して結合する。球状の先端部３は、内部が空洞であってもよいし、内部が密に詰まっていてもよい。
【００３２】
指入部７は、治療者が指を入れて（指に嵌めて）、鍼本体２を持つことなく、鍼本体２を保持するためのものである。指入部７は、指に嵌めやすいように、一例としてリング状（指輪状）に形成されている。同図に示すように、指入部７は、リング状の一部が切り欠かれた形状に形成されていてもよい。指入部７の形状は、指を入れて鍼本体２を保持できる形状であれば、任意の形状に形成することができる。
【００３３】
指入部７は、治療者が指を入れたときに、鍼本体２を指に沿わせるように設けられている。そのため、指入部７は、鍼本体２の途中に、棒状の鍼本体２に対してリング状の面がほぼ直交する角度（向き）で設けられている。言い換えると、指入部７は、そのリング状の中心軸が棒状の鍼本体２とほぼ平行になる向きで鍼本体２に設けられている。なお、鍼本体２と指入部７の面との交差角度を任意の角度で設けてもよい。
【００３４】
指入部７の材質は、鍼本体２の材質と同様であってもよいし、異なっていてもよい。指入部７の材質は、例えば、電気抵抗率の小さな銀、銅、金、アルミニウム、鉄、白金のような導電性を有する金属であることが好ましい。指入部７の材質は、ゲルマニウム、プラチナ、チタン、ジルコニウム、セラミック等であってもよい。先端部３の材質は任意であり、必要性に応じて、プラスチックなどの合成樹脂、水晶などの天然石、木材、半導体等を用いてもよい。指入部７を鍼本体２と一体的に形成してもよい。指入部７と鍼本体２とを各々別体で形成して、例えば、融着、溶着、圧接、溶接、接着、螺子止め等の任意の固定方法で結合してもよい。
【００３５】
例えば、指入部７と鍼本体２とを銀で一体的に形成することが好ましい。
【００３６】
次に、鍼１の使用方法について説明する。
【００３７】
図３に、鍼１の使用状態を模式的に示す。同図は、治療者の中指９１に鍼１を装着した例を示している。なお、他の指の図示は省略している。
【００３８】
治療者は、一例として、利き手の中指９１に、指入部７を通して鍼１を装着する。中指９１の腹９２に、鍼本体２の先端部３が当たるように鍼本体２の位置を調整する。
【００３９】
治療者は、被治療生物９５の皮膚のツボや経路の位置等に、先端部３を弱く又は強く押し当てたり、擦ったりするように接触させて、鍼治療を行う。この際に、治療者は、鍼１を指で持たなくてもよいので、先端部３に触れている中指９１の腹９２に集中することができる。そのため、集中して治療を行うことができるため、治療効果を上げることができる。また、鍼１を指で持たなくてもよいので、手の疲労を軽減することができる。
【００４０】
鍼本体２が曲げることのできる材質である場合、中指９１や掌９４の自然な形状にフィットするように鍼本体２を湾曲させて使用することで、一層集中して治療することができる。また、手の疲労を一層軽減することができる。
【００４１】
一例として、鍼本体２の先端部３を中指９１の腹９２に当てると共に、鍼本体２の後端部４を掌９４の労宮９３に当てて使用することが好ましい。こうすると、治療者の手掌・労宮周辺から出ると考えられている治療用エネルギーが鍼本体２の後端部４から鍼本体２を通って先端部３に導かれる。そのため、被治療生物９５に多くの治療用エネルギーを注入することができる。また、後端部４が幅広に形成されていると、治療者の手掌・労宮周辺から出ると考えられている治療用エネルギーを可及的に多く鍼本体２に導くことができるため、被治療生物９５に多くの治療用エネルギーを注入することができる。治療用エネルギーを鍼本体２に導くために、鍼本体２を全体的に太く形成してもよい。
【００４２】
鍼本体２には棒状の長さ方向に沿って溝５が形成されていることが好ましい。治療者の手掌・労宮周辺から出ると考えられている治療用エネルギーは、溝５によって後端部４から先端部３まで導かれやすくなるためである。溝５は、掌９４の労宮９３に近くにある方が治療用エネルギーを導きやすいため、鍼本体２の指入部７側に形成されていることが好ましい。溝５は、幅広である方が治療用エネルギーを多く取り入れることができるため好ましい。また、溝５は、幅広に形成した方が鍼本体２を軽量化でき、治療者の負担を軽減できるため好ましい。なお、治療者の治療方法にもよるため、必要性に応じて、溝５を設けてもよいし、設けなくてもよい。溝５の幅は任意である。例えば後端部４から先端部３まで溝５を同じ幅で形成してもよい。
【００４３】
治療方法によって、鍼本体２の後端部４を、治療者の別のツボ等の任意の位置に当てるようにしてもよい。また、治療方法によって、鍼本体２の後端部４を、治療者の任意の位置に当てなくてもよい。
【００４４】
鍼１を装着する指は、中指９１に限らず任意であり、親指、人差指、薬指又は小指であってもよい。治療者は、一方の手（例えば右手）だけに鍼１を装着して治療を行ってもよいし、一方の手に鍼１を装着すると共に他方の手（例えば左手）に別の鍼１を装着して両手で治療を行ってもよい。治療者は、例えば右手の人差指に鍼１を装着すると共に、右手の薬指に別の鍼１を装着するというように、複数の鍼１を、片手（例えば右手）の任意の複数の指に装着して治療を行ってもよい。治療者は、被治療生物として、人や、犬、猫、うさぎなどのペット、牛、豚、山羊、羊などの家畜、その他の動物に対し、鍼１を用いて鍼治療を行ってもよい。
【００４５】
なお、図４に示すように、鍼本体２の後端部４側が、指入部７側（治療者の指側）とは逆側に、反らせた形状に予め形成されていることが好ましい。鍼本体２が曲げることのできる材質であっても、端部は曲げるのは困難な場合が多いためである。後端部４側を曲げることができずに、鍼本体２を真っすぐな状態のままで使用していると、後端部４が手掌に食い込むようになってしまう場合がある。この食い込みは治療時間が長いと手掌に痛みを生じさせる場合がある（治療方法や治療者による）。後端部４側を予め反らせておくと、後端部４側を、力を入れて曲げなくても手掌の形状にフィットさせることができる。また、図３のように、鍼本体２の先端部３側が、指入部７側（治療者の指側）とは逆側に、反らせた形状に予め形成されていてもよい。
【００４６】
次に、本発明を適用する別の鍼１ａについて、図５、図６を参照して説明する。なお、以下において、既に説明した構成と同様の構成については同様の符号を付して詳細な説明を省略する。
【００４７】
図５に、鍼１ａの構成を説明する横断面図を示す。この鍼１ａの指入部７ａは、鍼本体２ａに着脱可能に設けられるものである。また、鍼１ａの指入部７ａは、鍼本体２ａに設ける位置を変更可能であるものである。
【００４８】
図５に示すように、指入部７ａは、リング状の一部に、鍼本体２ａを嵌め込むために窪ませた嵌込部２１が形成されている。嵌込部２１には、指入部７ａから鍼本体２ａが外れないように固定するための突起２２，２２が形成されている。指入部７ａは、可撓性を有する金属又は樹脂で形成されている。
【００４９】
図６に、鍼本体２ａの側面図を示す。鍼本体２ａには、指入部７ａの嵌込部２１と嵌合する切欠部１１が形成されている。また、鍼本体２ａには、指入部７ａの突起２２が嵌る窪部１２が形成されている。鍼本体２ａには、切欠部１１及び窪部１２の組が複数（この例では３組）形成されている。なお、鍼本体２ａは、切欠部１１及び窪部１２の複数の組が形成されている部分の幅（太さ）がいずれも等幅（同じ太さ）になるように形成されている。
【００５０】
図５に示すように、鍼本体２ａの任意の位置の切欠部１１及び窪部１２に、指入部７ａの嵌込部２１及び突起２２を嵌め込むことで、指入部７ａを設ける位置を調整することができる。そのため、治療者の掌や指の大きさに対応させて鍼１ａの装着位置や指入部７ａの位置を最適な位置に調整でき、治療者は集中して治療を行うことができる。治療に指入部７ａが不要である場合は、指入部７ａを取り外して、鍼本体２ａだけで治療を行うこともできる。
【００５１】
次に、本発明を適用するさらに別の鍼１ｂについて、図７、図８を参照して説明する。
【００５２】
この鍼１ｂの指入部７ｂは、鍼本体２ｂに着脱可能に設けられるものである。また、鍼１ｂの指入部７ｂは、鍼本体２ｂに設ける位置を変更可能であるものである。
【００５３】
図７に、鍼１ｂの構成を説明する横断面図を示す。指入部７ｂは、リング状の一部が切り欠かれており、切り欠かれた端部が嵌込部２５、２５になっている。図７、図８に示すように、鍼本体２ｂの両側部には、指入部７ｂの嵌込部２５が嵌ってスライド移動可能なガイド窪部１５、１５が形成されている。指入部７ｂは、金属又は樹脂で形成されている。
【００５４】
なお、この例では、鍼本体２ｂは、棒状部分の後端部４側の幅Ｗ１（図２参照）と先端部３側の幅Ｗ２（図２参照）とが同じ幅になるように、後端部４から先端部３まで等幅（同じ太さ）で形成されている。指入部７ｂをスライド移動可能とするためである。
【００５５】
指入部７ｂの嵌込部２５を、鍼本体２ｂの後端部４からガイド窪部１５に挿入する。ガイド窪部１５の任意の位置に嵌込部２５をスライドさせることで、指入部７ｂを鍼本体２ｂの任意の位置にセットすることができる。そのため、治療者の掌や指の大きさに対応させて鍼１ｂの装着位置や指入部７ｂの位置を最適な位置に調整でき、治療者は集中して治療を行うことができる。治療に指入部７ｂが不要である場合は、指入部７ｂを取り外して、鍼本体２ｂだけで治療を行うこともできる。なお、ガイド窪部１５が溝５を兼用してもよい。
【００５６】
指入部７ａ、７ｂを鍼本体２ａ、２ｂに着脱可能に設ける構造（着脱構造）や、位置を変更可能にする構造（位置変更構造）は例示であり、その他の任意の構造とすることができる。指入部７ａ、７ｂを鍼本体２ａ、２ｂに螺子止めで固定してもよい。螺子止め可能な螺子穴を鍼本体２ａ、２ｂに複数形成しておくことで、指入部７ａ、７ｂを着脱可能とすると共に位置を変更可能としてもよい。
【００５７】
図９に、本発明を適用する別の鍼１ｃの斜視図を示す。この鍼１ｃは、鍼本体２の途中に、指を入れるための複数（同図の例では２つ）の指入部７（７１、７２）を備えるものである。
【００５８】
指入部７１は、図１に示した鍼１の指入部７と同様の位置に設けられている。指入部７２は、指入部７１よりも先端部３側に設けられている。指入部７１は、例えば、中指９１（図３参照）の第２関節と指付け根関節の間に装着され、指入部７２は、例えば、中指９１の第１関節と第２関節の間に装着される。指入部７１、７２の各々の径を、装着する中指９１の部位の径に対応させて、適宜変えてもよい。
【００５９】
図１の鍼１のように、１つの指入部７を有する場合、指入部７を中心に鍼本体２が回転して、先端部３が中指９１の腹９２から左右にずれてしまう場合がある。図９の鍼１ｃのように、複数（２つ）の指入部７１、７２を有する場合、鍼本体２が中指９１に対してずれず、中指９１に確実に沿う。そのため、治療者は、鍼本体２のずれに注意がそがれず、一層集中して治療することができる。また、治療者の疲労感を少なくすることができる。
【００６０】
指入部７１、７２は、鍼１ａ，１ｂに示したように、鍼本体２に設ける位置を変更可能であってもよいし、着脱可能であってもよい。
【符号の説明】
【００６１】
１・１ａ・１ｂ・１ｃは鍼、２・２ａ・２ｂは鍼本体、３は先端部、４は後端部、５は溝、７・７１・７２・７ａ・７ｂは指入部、１１は切欠部、１２は窪部、１５はガイド窪部、２１は嵌込部、２２は突起、２５は嵌込部、９１は中指、９２は中指の腹、９３は労宮、９４は掌、Ｗ１は鍼本体２の後端部４の幅（太さ）、Ｗ２は鍼本体２の先端部側の幅（太さ）である。
【図１】
2019213710.tif 000003
【図２】
2019213710.tif 000004
【図３】
2019213710.tif 000005
【図４】
2019213710.tif 000006
【図５】
2019213710.tif 000007
【図６】
2019213710.tif 000008
【図７】
2019213710.tif 000009
【図８】
2019213710.tif 000010
【図９】
2019213710.tif 000011